(57)【要約】【課題】装置から生じる音を低減しつつ、大径ミスト、小径ミスト、及び芳香を放出することができるミスト発生装置を提供する。【解決手段】送風ファン３４から送出される空気を通過させる空気流路は、主空気流路４１、第１の副空気流路４３、及び第２の副空気流路４５に分岐するように構成され、主空気流路４１は、大径ミスト発生機構で発生された大径ミストを装置の外部に放出させる大径ミスト放出口１３に連通すると共に、第１の副空気流路４３は、静電霧化機構４８で発生された小径ミストを装置の外部に放出させる小径ミスト放出口１４に連通し、第２の副空気流路４５は、芳香発生装置で発生された芳香を装置の外部に放出させる芳香放出口１５に連通する。【選択図】図２
2011239823.tif 000002
【特許請求の範囲】
【請求項１】
液体をミスト化して大径ミストを発生させる大径ミスト発生部と、
静電霧化により前記大径ミストよりも小さい小径ミストを発生させる小径ミスト発生部と、
芳香剤を揮発させて芳香を発生させる芳香発生部と、
ファンから送出される気体を通過させる気体流路と
を備えたミスト発生装置であって、
前記気体流路は、主気体流路、第１の副気体流路、及び第２の副気体流路に分岐するように構成され、
前記主気体流路は、前記大径ミスト発生部で発生された前記大径ミストを装置の外部に放出させる大径ミスト放出口に連通すると共に、
前記第１の副気体流路は、前記小径ミスト発生部で発生された前記小径ミストを装置の外部に放出させる小径ミスト放出口に連通し、
前記第２の副気体流路は、前記芳香発生部で発生された前記芳香を装置の外部に放出させる芳香放出口に連通することを特徴とするミスト発生装置。
【請求項２】
請求項１に記載のミスト発生装置において、
前記大径ミスト発生部は、前記液体を加熱して前記大径ミストを発生させると共に、
前記大径ミスト放出口は、前記小径ミスト放出口及び前記芳香放出口よりも上方に配置されていることを特徴とするミスト発生装置。
【請求項３】
請求項２に記載のミスト発生装置において、
前記小径ミスト放出口は前記芳香放出口に対して上方で近接する位置に配置されていることを特徴とするミスト発生装置。
【請求項４】
請求項１〜請求項３のうち何れか一項に記載のミスト発生装置において、
前記大径ミスト放出口の開口面積は前記小径ミスト放出口の開口面積よりも大きく、且つ、前記小径ミスト放出口の開口面積は前記芳香放出口の開口面積よりも大きいことを特徴とするミスト発生装置。
【請求項５】
請求項１〜請求項４のうち何れか一項に記載のミスト発生装置において、
前記ファンは遠心ファンであって、
前記第１の副気体流路は、前記遠心ファンから送出される気体を当該第１の副気体流路に取り込む第１の給気口が前記遠心ファンの回転軸に対して相対的に遠い位置に設けられると共に、
前記第２の副気体流路は、前記遠心ファンから送出される気体を当該第２の副気体流路に取り込む第２の給気口が前記遠心ファンの回転軸に対して相対的に近い位置に設けられることを特徴とするミスト発生装置。
【請求項６】
請求項１〜請求項５のうち何れか一項に記載のミスト発生装置において、
前記芳香発生部は、
上方が開口した凹部を有すると共に当該凹部内に前記芳香剤を収容する芳香容器と、
前記第２の副気体流路の途中位置に設けられ、前記ファンから前記第２の副気体流路を介して供給される気体を吹き出す吹き出し口と
を備え、
前記吹き出し口は、前記芳香容器における前記凹部の開口に対して斜め上方から対向するように配置されることを特徴とするミスト発生装置。
【請求項７】
請求項６に記載のミスト発生装置において、
前記芳香発生部は、前記芳香容器から前記芳香放出口に至る前記芳香剤の通過流路を形成する流路形成部材が前記芳香容器に対して着脱可能に設けられることを特徴とするミスト発生装置。
【請求項８】
請求項６又は請求項７に記載のミスト発生装置において、
前記芳香発生部は、前記第２の副気体流路から前記芳香容器に向けて流動する気体の流量を調整する流量調整機構を備えることを特徴とするミスト発生装置。
【発明の詳細な説明】
【技術分野】
【０００１】
本発明は、芳香及び帯電微粒子液体を放出可能なミスト発生装置に関する。
【背景技術】
【０００２】
従来から、加湿装置や美顔器などのミスト発生装置では、マイクロサイズのミスト（大径ミスト）と、該マイクロミストよりも小さいナノサイズのミスト（小径ミスト）とを発生させ、これらのミストを同時に放出させることが行われている（例えば、特許文献１）。この特許文献１に記載のミスト発生装置は、供給される水をヒータで沸騰させて大径ミストを発生させる大径ミスト発生部と、静電霧化機構により小径ミストを発生させる小径ミスト発生部とを備えている。そして、発生した各ミストは、モータファンから送出される空気によって大径ミスト放出口及び小径ミスト放出口からそれぞれ放出される。なお、特許文献１では、共通のモータファンから送出される空気が大径ミスト放出口及び静電霧化機構に対して分配して供給されるようになっている。
【０００３】
また、近年では、芳香剤を揮発させて芳香を発生させる芳香発生部を備えたミスト発生装置が提案されている（例えば、特許文献２）。この特許文献２に記載のミスト発生装置では、芳香容器に貯留された芳香剤に対してモータファンから空気を送出することにより、芳香剤の揮発を促進させるようになっている。
【先行技術文献】
【特許文献】
【０００４】
【特許文献１】特開２０１０−１７２９３号公報
【特許文献２】特開２００９−２３２９４１号公報
【発明の概要】
【発明が解決しようとする課題】
【０００５】
ところで、特許文献２に記載のミスト発生装置では、モータファンから芳香容器に対して空気を送出する送気経路が、温ミストを温ミストノズルに供給する温ミスト経路や冷ミストを冷ミストノズルに供給する冷ミスト経路とは独立して設けられている。そのため、特許文献２に記載のミスト発生装置を特許文献１に記載のミスト発生装置に組み合わせた場合、大径ミスト放出口や小径ミスト放出口に対して空気を送出させるためのモータファンとは別部材構成で芳香用のモータファンを設ける必要がある。すなわち、複数のモータファンをミスト発生装置に設ける必要があるため、これらのモータファンの駆動時に生じる音が大きな騒音となって装置外部に放出される虞があった。
【０００６】
本発明は、このような事情に鑑みてなされたものであり、その目的は、装置から生じる音を低減しつつ、大径ミスト、小径ミスト、及び芳香を放出することができるミスト発生装置を提供することにある。
【課題を解決するための手段】
【０００７】
上記課題を解決するために、本発明のミスト発生装置は、液体をミスト化して大径ミストを発生させる大径ミスト発生部と、静電霧化により前記大径ミストよりも小さい小径ミストを発生させる小径ミスト発生部と、芳香剤を揮発させて芳香を発生させる芳香発生部と、ファンから送出される気体を通過させる気体流路とを備えたミスト発生装置であって、前記気体流路は、主気体流路、第１の副気体流路、及び第２の副気体流路に分岐するように構成され、前記主気体流路は、前記大径ミスト発生部で発生された前記大径ミストを装置の外部に放出させる大径ミスト放出口に連通すると共に、前記第１の副気体流路は、前記小径ミスト発生部で発生された前記小径ミストを装置の外部に放出させる小径ミスト放出口に連通し、前記第２の副気体流路は、前記芳香発生部で発生された前記芳香を装置の外部に放出させる芳香放出口に連通することを特徴とする。
【０００８】
また、本発明のミスト発生装置において、前記大径ミスト発生部は、前記液体を加熱して前記大径ミストを発生させると共に、前記大径ミスト放出口は、前記小径ミスト放出口及び前記芳香放出口よりも上方に配置されていることを特徴とする。
【０００９】
また、本発明のミスト発生装置において、前記小径ミスト放出口は前記芳香放出口に対して上方で近接する位置に配置されていることを特徴とする。
また、本発明のミスト発生装置において、前記大径ミスト放出口の開口面積は前記小径ミスト放出口の開口面積よりも大きく、且つ、前記小径ミスト放出口の開口面積は前記芳香放出口の開口面積よりも大きいことを特徴とする。
【００１０】
また、本発明のミスト発生装置において、前記ファンは遠心ファンであって、前記第１の副気体流路は、前記遠心ファンから送出される気体を当該第１の副気体流路に取り込む第１の給気口が前記遠心ファンの回転軸に対して相対的に遠い位置に設けられると共に、前記第２の副気体流路は、前記遠心ファンから送出される気体を当該第２の副気体流路に取り込む第２の給気口が前記遠心ファンの回転軸に対して相対的に近い位置に設けられることを特徴とする。
【００１１】
また、本発明のミスト発生装置において、前記芳香発生部は、上方が開口した凹部を有すると共に当該凹部内に前記芳香剤を収容する芳香容器と、前記第２の副気体流路の途中位置に設けられ、前記ファンから前記第２の副気体流路を介して供給される気体を吹き出す吹き出し口とを備え、前記吹き出し口は、前記芳香容器における前記凹部の開口に対して斜め上方から対向するように配置されることを特徴とする。
【００１２】
また、本発明のミスト発生装置において、前記芳香発生部は、前記芳香容器から前記芳香放出口に至る前記芳香剤の通過流路を形成する流路形成部材が前記芳香容器に対して着脱可能に設けられることを特徴とする。
【００１３】
また、本発明のミスト発生装置において、前記芳香発生部は、前記第２の副気体流路から前記芳香容器に向けて流動する気体の流量を調整する流量調整機構を備えることを特徴とする。
【発明の効果】
【００１４】
本発明によれば、装置から生じる音を低減しつつ、大径ミスト、小径ミスト、及び芳香を放出することができる。
【図面の簡単な説明】
【００１５】
【図１】本実施形態の美容器の正面図。
【図２】図１の２−２線矢視断面図。
【図３】図２の３−３線矢視断面図。
【図４】図２の４−４線矢視断面図。
【図５】送風ファン及び空気誘導パイプの分解斜視図。
【図６】空気誘導パイプを下方から見た平面図。
【図７】図２の要部拡大図。
【図８】図２の要部拡大図。
【図９】芳香発生装置を斜め前方上側から見た分解斜視図。
【図１０】芳香発生装置を斜め後方上側から見た分解斜視図。
【図１１】（ａ）は芳香放出口が開放状態にある芳香発生装置を上方から見た平面図、（ｂ）は芳香通過口が閉塞状態にある芳香発生装置を上方から見た平面図。
【発明を実施するための形態】
【００１６】
以下、本発明をミスト発生装置の一種である美容器に具体化した一実施形態を図１〜図１１に従って説明する。なお、以下における本明細書中の説明において、「前後方向」、「左右方向」、「上下方向」をいう場合には、図中における矢印に示す方向を示すものとする。
【００１７】
図１に示すように、本実施形態の美容器１０は、脚部１１の上部に固定された全体が略球状の筐体１２を有している。筐体１２の内部には、美容器１０を構成する各種の機構部品が収容されると共に、その筐体１２の前面には、正面視円形の凹部１２ａが形成されている。
【００１８】
筐体１２の凹部１２ａ内において美容器１０の使用者と対向することになる面部位には、マイクロサイズのミスト（以下、「大径ミスト」と示す）が放出される大径ミスト放出口１３が設けられている。本実施形態において、大径ミストは、液体としての水を沸騰させて発生させた比較的高温（本実施形態では約４０℃）の温ミストとされている。大径ミスト放出口１３の周囲には、大径ミスト放出口１３から放出される大径ミストの進行方向をガイドすると共に、使用者が誤って大径ミスト放出口１３に触れないようにする略ラッパ状に形成されたカバー１３ａが設けられている。また、カバー１３ａの周辺には、カバー１３ａを筐体１２に対して上下方向及び左右方向に回動可能な角度調整部材１２ｂが、はめ込まれるように配設されている。これにより、大径ミスト放出口１３は、角度調整部材１２ｂが使用者により回動操作されることによって、大径ミストを放出させる方向を調整可能となっている。
【００１９】
また、筐体１２の凹部１２ａ内において美容器１０の使用者と対向することになる面部位のうちで大径ミスト放出口１３の下方には、大径ミストより小さい帯電微粒子液体としてのナノサイズのミスト（以下、「小径ミスト」と示す）が放出される小径ミスト放出口１４が設けられている。本実施形態において、小径ミストは、おおよそ１〜数十ｎｍの大きさのミストとされているとともに、大径ミストよりも温度が低くなっている。なお、大径ミスト放出口１３の開口面積は小径ミスト放出口１４の開口面積よりも大きく設計されている。
【００２０】
また、筐体１２の凹部１２ａ内において小径ミスト放出口１４の下方に隣接する位置には、芳香（香り）を上方に向けて放出する芳香放出口１５が形成されている。この芳香放出口１５は、その芳香放出口１５から放出される芳香（香り）が小径ミスト放出口１４から放出される小径ミストと交わるように、小径ミスト放出口１４よりも前方（使用者側）に形成されていることになる。なお、小径ミスト放出口１４の開口面積は芳香放出口１５の開口面積よりも大きく設計されている。
【００２１】
筐体１２の頂上部には、使用者が美容器１０を動作させる際に操作する押しボタン式の電源スイッチ１６が配設されている。電源スイッチ１６は、美容器１０のオンオフ操作を行うものである。また、図２に示すように、電源スイッチ１６の後方には、規定量（約６０ｍｌ）の水を貯留する貯留タンク１７が筐体１２の内部に収容された状態で配置されている。具体的に説明すると、貯留タンク１７は、筐体１２の上方に開口するように配設されたタンクホルダ１８に対し、上下（垂直）方向に挿入及び取出し可能に収納されている。また、筐体１２の左右両側面には、美容器１０を持ち運びするための取手１９が取着されている。
【００２２】
次に、貯留タンク１７から供給される水を加熱して大径ミストを発生させる機構について説明する。
図２に示すように、本実施形態の貯留タンク１７は、内部に水を貯留可能な下向きに開口するタンク本体２０と、当該タンク本体２０下端開口を閉塞する蓋となるキャップ２１とから構成されている。キャップ２１の底部２１ａの略中央位置には、液体供給口としての開口部２２が開口形成されている。また、貯留タンク１７が着脱されるタンクホルダ１８の下端部には、筒状をなす連結部材２３の一端が接続されると共に、その連結部材２３の他端には、中空状をなす給水パイプ２４がはめ込むようにして接続されている。
【００２３】
給水パイプ２４は、耐熱性を備えた弾性材料（例えば、シリコンゴムやフッ素ゴム）によって構成されている。そして、給水パイプ２４は、連結部材２３に対する接続部の近傍となる部位から左方（図２では奥手方向）に向けて略直角に屈曲した筒状をなすように形成されている。また、図３に示すように、給水パイプ２４において連結部材２３に対する接続部とは反対側の端部は、上下方向に延びる有底略円筒状に形成された貯留部２５の下端部に接続されている。
【００２４】
なお、給水パイプ２４は、貯留タンク１７に接続される側の端部の方が、貯留部２５に接続される側の端部よりも僅かに高い位置となるように配置されている。すなわち、給水パイプ２４は、貯留タンク１７側から貯留部２５側に向けて僅かに下り勾配となるように配置されている。そのため、貯留タンク１７から連結部材２３を介して給水パイプ２４内に流入される水は、給水パイプ２４内を重力に従って流下した後、貯留部２５に向けて流出されるようになっている。
【００２５】
また、筐体１２内において貯留部２５の側方となる位置には、貯留タンク１７から供給された水をヒータ２６で加熱して沸騰させるための沸騰室２７が設けられている。そして、この沸騰室２７の下端部に対して円筒状の連通部２８の先端が接続されると共に、その基端が貯留部２５の底部に接続されることにより、貯留部２５と沸騰室２７とが連通されている。そして、給水パイプ２４を介して貯留部２５に供給された比較的低温の水は、貯留部２５内に貯留されている水と混合された後、連通部２８を介して沸騰室２７に供給されるようになっている。
【００２６】
沸騰室２７は、その内部空間が上下方向を長手方向とすると共に前後方向を短手方向とし且つ左右方向を厚さ方向とする薄い略直方体形状をなし、その上下方向に沿う左側の内側面は沸騰室２７の左側に上下方向に沿って立設された薄い平板状のヒータ２６の右側面である加熱面２６ａで構成されている。ヒータ２６は、例えば、ＰＴＣ（Positive Temperature coefficient）素子からなる。そして、連通部２８を介して沸騰室２７に供給された水は、沸騰室２７内でヒータ２６により加熱されることにより大径ミスト化されるようになっている。そして、本実施形態では、沸騰室２７及びヒータ２６によって、供給される水を沸騰させて大径ミストを発生させる大径ミスト発生部としての大径ミスト発生機構２９が構成されている。
【００２７】
図４に示すように、沸騰室２７の上方には、当該沸騰室２７にて発生された大径ミストを誘導する略円筒状のミスト誘導筒３０の一端が接続されている。また、ミスト誘導筒３０の他端には、大径ミストを前方に向けて誘導する吐出パイプ３１の一端が接続されている。また、図２に示すように、吐出パイプ３１の他端には、蛇腹部材３２の一端が接続されると共に、蛇腹部材３２の他端は、角度調整部材１２ｂの内面に密着するように固定されている。蛇腹部材３２は、例えば、シリコンゴム等の軟質材料によって形成されている。なお、角度調整部材１２ｂに形成された大径ミスト放出口１３は、蛇腹部材３２の内側に配置されるようになっている。そして、本実施形態では、ミスト誘導筒３０、吐出パイプ３１、及び蛇腹部材３２によって、大径ミスト発生機構２９にて発生した大径ミストを通過させるミスト経路３３が構成されている。
【００２８】
次に、発生させた大径ミスト、小径ミスト、及び芳香を各放出口１３，１４，１５から放出させるための流動性のある空気を供給する機構について説明する。
図２及び図４に示すように、筐体１２の内部における下方寄りの位置であって且つ当該筐体１２における前後方向の略中央となる位置には遠心式の送風ファン３４が配設されている。送風ファン３４は、筐体１２の底面に形成された図示しない吸気口から空気を吸入した後、吸入した空気を上方に向けて送出するようになっている。
【００２９】
図５に示すように、送風ファン３４を収容するファンケース３５は、前側に位置するベース部材３６に取り付けられた送風ファン３４を後方側から覆うように、平面視で略Ｕ字状をなす蓋部材３７をベース部材３６に組み付けることにより枠体状をなすように構成されている。そして、ファンケース３５において送風ファン３４の空気の送出口３８が開口される側の端部（図５では上端部）には、送風ファン３４から送出される空気を誘導する空気誘導パイプ３９の一端が接続されている。
【００３０】
図５及び図６に示すように、空気誘導パイプ３９は、略四角筒状をなすと共に、当該空気誘導パイプ３９の内部は、送風ファン３４の空気の送出口３８に対して上下方向に対向する空間域が仕切り壁４０によって前後に仕切られている。仕切り壁４０は、送風ファン３４の空気の送出口３８に対して上下方向で対向する空間域のうち、送風ファン３４の回転軸側となる右方寄りの空間域を前後に仕切るように配置されている。そして、本実施形態では、この仕切り壁４０によって仕切られた前後２つの空間域のうち、後側に位置する空間域が後述する主空気流路（主気体流路）４１の一部を構成する空気管路４２となる一方で、前側に位置する空間域が後述する第１の副空気流路（第１の副気体流路）４３の一部を構成する空気管路４４となっている。
【００３１】
また、ファンケース３５は、ベース部材３６において送風ファン３４の空気の送出口３８における右方寄りの端部に対して上下方向で対向する位置に後述する第２の副空気流路（第２の副気体流路）４５の一部を構成する空気管路４６の給気口（第２の給気口）４５ａが形成されている。そして、空気管路４６は、送風ファン３４の空気の送出口３８から送出された空気を、この給気口４５ａを通じて取り込んだ後、取り込んだ空気を前方に誘導するようになっている。
【００３２】
なお、空気誘導パイプ３９は、仕切り壁４０によって前後に仕切られる空気管路４２（主空気流路４１の一部）及び空気管路４４（第１の副空気流路４３の一部）の下方側の開口部が、送風ファン３４の空気の送出口３８から送出される空気を各々の空気管路４２，４４を介して主空気流路４１及び第１の副空気流路４３に取り込む給気口４１ａ，４３ａとなっている。そして、本実施形態では、主空気流路４１の給気口４１ａの開口面積が第１の副空気流路４３の給気口４３ａの開口面積よりも大きく設計されると共に、第１の副空気流路４３の給気口４３ａの開口面積が第２の副空気流路４５の給気口４５ａの開口面積よりも大きく設計されている。また、第２の副空気流路４５の給気口４５ａは、第１の副空気流路４３の給気口（第１の給気口）４３ａよりも右方となる位置であって且つ送風ファン３４の回転軸に対してより近接した位置に配置されている。
【００３３】
また、図２に示すように、空気誘導パイプ３９においてファンケース３５が接続される側とは反対側の自由端側は、ミスト経路３３を構成する吐出パイプ３１の内側に配設されている。そして、空気誘導パイプ３９の主空気流路４１は、大径ミストが通過されるミスト経路３３の内側に配設されている。すなわち、ミスト経路３３は、空気誘導パイプ３９の主空気流路４１を囲繞するように配置されている。そのため、大径ミストより低温の空気が通過される主空気流路４１（空気誘導パイプ３９）により、ミスト経路３３内の大径ミストが冷却されるようになっている。また、主空気流路４１とミスト経路３３との温度差により、空気誘導パイプ３９の外面（ミスト経路３３側）に結露が発生することとなる。そして、空気誘導パイプ３９の外面に結露した水は、ミスト経路３３を通じて沸騰室２７側に還流されるようになっている。
【００３４】
なお、空気誘導パイプ３９の自由端面に開口する空気吐出口３９ａは、大径ミスト放出口１３から円筒状に立設されたミストガイド１２ｃの内側に臨むように配置されている。そして、本実施形態では、空気誘導パイプ３９の空気管路４２及びミストガイド１２ｃが、大径ミスト放出口１３に連通する主空気流路４１を構成している。また、ミストガイド１２ｃの内面と空気誘導パイプ３９の自由端側の外面との間には、微小な隙間からなる微小導入口Ｓ１（図７参照）が形成されている。また、空気誘導パイプ３９において、ファンケース３５に接続される側（一端側）の前方側面には取付孔４７が形成されると共に、当該取付孔４７には、小径ミストを発生させる小径ミスト発生部としての静電霧化機構４８が挿入されている。
【００３５】
図７に示すように、静電霧化機構４８には、針状に形成された放電電極４９が配設されると共に、当該放電電極４９と対向する位置には、中央に空気が通過可能な通風孔５０が設けられた略平板状の対向電極５１が配設されている。そして、放電電極４９と対向電極５１との間には、高電圧が印加されるようになっている。また、放電電極４９と対向電極５１との間の空間域には、空気管路４４が連通している。また、空気誘導パイプ３９側に配設された放電電極４９には、ペルチェユニット（ペルチェ素子）５２の冷却面が接触するように配置されている。そして、放電電極４９は、ペルチェユニット５２によって強制的に冷却されるようになっている。一方、ペルチェユニット５２の冷却面と反対側の放熱面は、空気管路４２内に配置されている。また、ペルチェユニット５２の放熱面には、金属（例えば、アルミニウムや銅）からなる放熱フィン５３が取着されている。放熱フィン５３は、空気管路４２の内部に露出するように配置されている。そのため、ペルチェユニット５２の放熱面からの放熱は、空気管路４２を通過する空気によって放熱フィン５３が空冷されることにより促進されるようになっている。
【００３６】
そして、上記の静電霧化機構４８では、放電電極４９がペルチェユニット５２によって冷却されることにより、放電電極４９の表面に結露が生じる。そして、放電電極４９と対向電極５１との間に高電圧が印加されることによって、放電電極４９の表面に結露した水にレイリー分裂を起こさせて静電霧化させることにより、小径ミストが発生されるようになっている。このように発生された小径ミストの大きさは、おおよそ１〜数十ｎｍであり、人体の角質層表面の隙間から浸透することにより、人体の皮膚に潤いとハリを与えることが知られている。
【００３７】
静電霧化機構４８は、空気誘導パイプ３９に取着されるホルダ機構５４によって保持されている。ホルダ機構５４には、前方（小径ミスト放出口１４）に向かって延びる円筒状のホルダ部５５が設けられている。ホルダ部５５の内側には、静電霧化機構４８で発生された小径ミストを小径ミスト放出口１４に誘導する略円筒状の小径ミストパイプ５６が配設されている。小径ミストパイプ５６は、一端が静電霧化機構４８に接続されると共に、他端が小径ミスト放出口１４に接続されている。そして、本実施形態では、空気誘導パイプ３９の空気管路４４及び小径ミストパイプ５６によって、小径ミスト放出口１４に連通する第１の副空気流路４３が構成されている。また、静電霧化機構４８で発生された小径ミストは、空気管路４４を通過される空気と両電極４９，５１の間で混合されると共に、小径ミストパイプ５６を通過して小径ミスト放出口１４から放出されるようになっている。
【００３８】
また、図８に示すように、ベース部材３６の上端部には、空気管路４６の排気部４６ａが、ベース部材３６の前面から前方に突出した略円筒状をなすように設けられている。また、空気管路４６の排気部４６ａには、空気管路４６からの空気の排気口を構成する小径筒部５７と、当該小径筒部５７を囲繞するように小径筒部５７よりも大径の大径筒部５８とが形成されている。すなわち、空気管路４６の排気部４６ａは、小径筒部５７及び大径筒部５８によって二重壁構造をなすように構成されている。そして、大径筒部５８には、送風パイプ５９の一端がはめ込むようにして接続されている。そのため、空気管路４６からの空気の排気口を構成する小径筒部５７は、送風パイプ５９の内面との間に隙間を介在させた状態で送風パイプ５９の一端側の開口に対して接続されている。
【００３９】
また、送風パイプ５９は、ベース部材３６側から前方に向けて略水平に延出されると共に、その途中位置から前方斜め下方に向けて屈曲するように構成されている。そして、送風パイプ５９は、空気管路４６の排気部４６ａを通じて送出された空気を前方に誘導するようになっている。また、送風パイプ５９においてベース部材３６が接続される側とは反対側の自由端側はホルダ機構６０に対して接続されている。ホルダ機構６０には、芳香放出口１５を有する芳香発生部としての芳香発生装置６１が装着されるようになっている。そして、本実施形態では、ベース部材３６の空気管路４６及び送風パイプ５９によって、芳香放出口１５に連通する第２の副空気流路４５が構成されている。
【００４０】
図８に示すように、ホルダ機構６０には、前方斜め上方に向かって延びる略円筒状のホルダ部６２が設けられている。そして、ホルダ部６２の内側に芳香発生装置６１が装着されている。また、ホルダ部６２の下端部には、ホルダ部６２の後面から後方斜め上方に向かって延びる円筒部６３が形成されると共に、当該円筒部６３の上端側の開口を閉塞するように蓋部６４が設けられている。そして、蓋部６４によって閉塞される円筒部６３の内側には、芳香発生装置６１をホルダ部６２に対して相対移動不能に係止させる係止機構６５が設けられている。なお、蓋部６４には、円筒部６３の内側に臨む面の略中央となる部位に凸部６４ａが形成されている。
【００４１】
係止機構６５は、円筒部６３の延設方向に沿って変位する略円柱状をなす変位部材６６と、当該変位部材６６を円筒部６３の内奥側に向けて付勢するコイルスプリング６７とを備えている。変位部材６６には、円筒部６３の内奥側に挿入される面に対して矢尻状の係止部６６ａが形成されている。また、変位部材６６には、係止部６６ａが形成された面とは反対側の面に凹部６６ｂが形成されている。そして、蓋部６４の凸部６４ａと変位部材６６の凹部６６ｂの底面との間にコイルスプリング６７が介設されている。
【００４２】
一方、芳香発生装置６１の下端部の側面には、変位部材６６の係止部６６ａに対して係合可能な被係止部６８が形成されている。そして、芳香発生装置６１がホルダ部６２に対して装着された場合、コイルスプリング６７によって前方斜め下方に付勢された変位部材６６の係止部６６ａが芳香発生装置６１の被係止部６８に対して係合する結果、芳香発生装置６１がホルダ部６２に対して相対移動不能に係止されるようになっている。
【００４３】
次に、芳香発生装置６１について、図９及び図１０に基づき説明する。
図９及び図１０に示すように、芳香発生装置６１は、芳香剤を内部に貯留する芳香容器としての平面視略横長楕円形状に形成された受皿６９と、当該受皿６９から揮発した芳香剤の通過流路を形成する同じく平面視略横長楕円形状に形成された流路形成部材７０とを備えている。受皿６９の上面には、斜め上方に開口した凹部６９ａが形成されると共に、当該凹部６９ａの内部に芳香剤が貯留されるようになっている。なお、受皿６９の凹部６９ａは、開口縁の近傍部位の内面が滑らかに湾曲した形状をなしている。
【００４４】
流路形成部材７０の底面における長手方向の一方側の端部には、流路形成部材７０の底面から下方に向けて延出したフック部７１が形成されている。フック部７１の先端側の外側面には突起７１ａが形成されている。一方、受皿６９の側面には、フック部７１の突起７１ａと略同一の形状をなす係止孔７２が形成されている。そして、流路形成部材７０を受皿６９に対して上方側から組み付けると、フック部７１の突起７１ａが受皿６９の係止孔７２に対して係合されることにより、流路形成部材７０が受皿６９に対して連結されるようになっている。
【００４５】
また、流路形成部材７０は、受皿６９との連結部の近傍となる位置であって且つ流路形成部材７０の側面の下端寄りとなる位置に、円形状をなす貫通孔７３が流路形成部材７０の内外を貫通するように形成されている。また、貫通孔７３は、芳香発生装置６１がホルダ部６２に装着された状態（図８参照）において、ホルダ部６２における送風パイプ５９側からの空気の吹き出し口５９ａに対して連通する位置に形成されている。また、流路形成部材７０の内部は、略楕円板状をなす仕切り板７４によって、芳香放出口１５側となる上方側の空間域と受皿６９側となる下方側の空間域とに仕切られている。そして、上記の貫通孔７３は、流路形成部材７０の内部における受皿６９側の空間域に連通している。
【００４６】
仕切り板７４の略中央部には、受皿６９の凹部６９ａの開口から放出された芳香を受皿６９側の空間域から芳香放出口１５側の空間域に向けて通過させるための円形状をなす芳香通過口７５が形成されている。また、仕切り板７４には、芳香通過口７５よりも前方となる部位に、略扇形状をなすガイド孔７６が仕切り板７４の外周面に沿うように形成されている。ガイド孔７６は、流路形成部材７０の内部における芳香放出口１５側の空間域と受皿６９側の空間域とを連通させるように、仕切り板７４を上下方向に貫通している。
【００４７】
また、仕切り板７４において、芳香通過口７５を挟んでガイド孔７６とは反対側となる部位の側端面には、略扇形状をなすスリット７７が仕切り板７４の長手方向の略全域に亘って延びるように形成されている。スリット７７は、流路形成部材７０の側面に形成された貫通孔７３に対して近接する位置に配置されている。また、スリット７７は、流路形成部材７０の内部における芳香放出口１５側の空間域と受皿６９側の空間域とを連通させるように、仕切り板７４を上下方向に貫通している。そして、スリット７７には、薄板状をなす流量調整機構としてのフィルタ部材７８が、略楕円板状をなすフィルタ部７９を受皿６９側の空間域に挿入させるようにして挿通されている。
【００４８】
フィルタ部材７８のフィルタ部７９は、長手方向の一方側の部位に略円形状をなす通気孔８０が形成されている。なお、この通気孔８０は、流路形成部材７０に形成された貫通孔７３と略同一の形状をなすように構成されている。また、フィルタ部材７８のフィルタ部７９は、長手方向の他方側の部位が流路形成部材７０に形成された貫通孔７３よりも若干大きな湾曲面を有する湾曲面部８１をなすように構成されている。そして、フィルタ部材７８は、フィルタ部７９がスリット７７に挿入された場合に、フィルタ部７９に形成された通気孔８０と流路形成部材７０に形成された貫通孔７３とが略同一の高さに位置するように構成されている。なお、流路形成部材７０の内部における芳香放出口１５側の空間域に配置されるフィルタ部材７８の上端部には、凹溝８２が形成されている。
【００４９】
また、流路形成部材７０の内部における仕切り板７４の上方には、フィルタ機構８３が配設されている。フィルタ機構８３は、同一の形状を有する一対のフィルタユニット８４，８５によって構成されている。これら一対のフィルタユニット８４，８５は、それぞれ略半円板状をなすように構成されると共に、各々のフィルタユニット８４，８５における略矩形状の端面８４ａ，８５ａを対向させるようにして配置されている。そして、各フィルタユニット８４，８５の端面８４ａ，８５ａ同士が当接すると、両フィルタユニット８４，８５間における隙間が閉塞されるようになっている。なお、各フィルタユニット８４，８５における長手方向の一方側の端縁から延出された延出部８４ｂ，８５ｂには、略矩形状をなす貫通孔８４ｃ，８５ｃが各フィルタユニット８４，８５を上下方向に貫通するように形成されている。
【００５０】
また、フィルタ機構８３の上方には、レバー部材８６が配設されている。レバー部材８６は、図１１に示すように、平面視において流路形成部材７０の外郭内に収まる大きさの円環部８７と、当該円環部８７から円環部８７の径方向外側に延出したレバー部８８とを有している。円環部８７の開口部８７ａは、仕切り板７４に形成された芳香通過口７５と略同一の形状をなしている。また、円環部８７の下面には、略円柱状をなす二つのボス部８９ａ，８９ｂが下方に向けて突出するように形成されている。これらのボス部８９ａ，８９ｂは、円環部８７の開口部８７ａの中心位置とレバー部８８とを結ぶ直線上となる位置であって、且つ円環部８７の開口部８７ａの中心位置を中心として互いに１８０度ずれた位置に配置されている。
【００５１】
そして、これらのボス部８９ａ，８９ｂのうち、レバー部８８に近接した位置に設けられたボス部８９ａは、フィルタユニット８４に形成された貫通孔８４ｃを挿通した後に、仕切り板７４に形成されたガイド孔７６に対して係合するようになっている。一方、これらのボス部８９ａ，８９ｂのうち、レバー部８８から離間した位置に設けられたボス部８９ｂは、フィルタユニット８５に形成された貫通孔８５ｃを挿通した後に、フィルタ部材に形成された凹溝８２に対して係合するようになっている。
【００５２】
また、流路形成部材７０には、内部に収容したフィルタ部材７８、フィルタ機構８３、及びレバー部材８６を上方側から覆うように、扁平な有底略楕円状をなすキャップ部材９０が取着されている。なお、キャップ部材９０の前側面には、キャップ部材９０の下端面から上方に切り欠かれた凹部９１が、キャップ部材９０の長手方向に沿って延びるように形成されている。そして、キャップ部材９０は、レバー部材８６のレバー部８８を凹部９１に対して挿入させた状態で、流路形成部材７０の上方側の開口を閉塞させるように流路形成部材７０に対して組み付けられる。そのため、キャップ部材９０の凹部９１によって、レバー部材８６のレバー部８８の可動域が確保されるようになっている。
【００５３】
次に、芳香発生装置６１の動作について説明する。
さて、図１１（ａ）に示すように、レバー部８８がキャップ部材９０の凹部９１内における右方寄りに位置するように、レバー部材８６が配置されているとする。この場合、レバー部材８６の円環部８７に設けられた２つのボス部８９ａ，８９ｂのうち、レバー部８８寄りの位置に設けられたボス部８９ａは、レバー部材８６の円環部８７の中心位置よりも右方側に配置される。そして、このボス部８９ａは、ガイド孔７６における右端寄りの位置に挿入された状態となる。また、このボス部８９ａが挿入されたフィルタユニット８４の延出部８４ｂも、当該ボス部８９ａと同様にしてガイド孔７６における右端寄りの位置に配置される。
【００５４】
一方、レバー部材８６の円環部８７に設けられた２つのボス部８９ａ，８９ｂのうち、レバー部８８から離間した位置に設けられたボス部８９ｂは、レバー部材８６の円環部８７の中心位置よりも左方側に配置される。そして、このボス部８９ｂが挿入されたフィルタ部材７８は、スリット７７における左端寄りの位置に挿入された状態となる。また、このボス部８９ｂが挿入されたフィルタユニット８５の延出部８５ｂも、フィルタ部材７８と同様にしてスリット７７における左端寄りの位置に配置される。
【００５５】
この場合、フィルタ機構８３を構成する両フィルタユニット８４，８５は、各々のフィルタユニット８４，８５の端面８４ａ，８５ａ同士が左右方向に離間した位置に配置される。そのため、仕切り板７４の芳香通過口７５は、両フィルタユニット８４，８５によって遮蔽されない状態となっている。その結果、流路形成部材７０の内部は、受皿６９側の空間域と芳香放出口１５側の空間域とが、開放状態にある仕切り板７４の芳香通過口７５を通じて互いに連通した状態となっている。
【００５６】
また、フィルタ部材７８のフィルタ部７９においては、通気孔８０が形成された部位が流路形成部材７０の側面に形成された貫通孔７３と対応する位置に配置される。そのため、流路形成部材７０の内部における受皿６９側の空間域は、通気孔８０及び貫通孔７３を通じて送風パイプ５９の吹き出し口５９ａに対して連通している。
【００５７】
そして、送風ファン３４から空気管路４６及び送風パイプ５９を通じて供給される空気は、流路形成部材７０に形成された貫通孔７３、及びフィルタ部材７８に形成された通気孔８０を通じて流路形成部材７０における受皿６９側の空間域に導入される。また、同空間域に導入された空気は、受皿６９の凹部６９ａの開口に対して斜め上方から流入することにより、受皿６９の凹部６９ａ内に滞留した芳香剤を受皿６９の凹部６９ａの開口を通じて前方斜め上方に向けて放出させる。さらに、受皿６９の凹部６９ａから放出された芳香剤は、開放状態にある芳香通過口７５、及びレバー部材８６の円環部８７の開口部８７ａを通じて芳香放出口１５から装置の外部に放出される。
【００５８】
ここで、レバー部材８６のレバー部８８が図１１（ａ）に示す状態から時計回り方向に回動操作されたとする。すると、レバー部材８６のボス部８９ａは、ガイド孔７６の内面に摺動ガイドされつつ、同図においてガイド孔７６における左端寄りの位置に向けて移動する。また、このボス部８９ａが挿入されたフィルタユニット８４の延出部８４ｂも、当該ボス部８９ａと同様にしてガイド孔７６における左端寄りの位置に向けて左方に移動する。一方、レバー部材８６のボス部８９ｂが挿入されたフィルタ部材７８は、スリット７７の側面に摺動ガイドされつつスリット７７における右端寄りの位置に向けて移動する。すると、レバー部材８６のボス部８９ｂが挿通されたフィルタユニット８４の延出部８４ｂも、フィルタ部材７８と同様にしてスリット７７における右端寄りの位置に向けて右方にスライド移動する。そして、フィルタ機構８３を構成する両フィルタユニット８４，８５は、各々の端面８４ａ，８５ａ同士が次第に接近するようにスライド移動することにより、仕切り板７４の芳香通過口７５の開口面積が次第に減少する。
【００５９】
また、図１１（ｂ）に示すように、レバー部８８がキャップ部材９０の凹部９１内における左端寄りの位置まで到達すると、フィルタ機構８３を構成する両フィルタユニット８４，８５は、各々の端面８４ａ，８５ａ同士が互いに密着することにより、仕切り板７４の芳香通過口７５がフィルタ機構８３によって閉塞される。すると、流路形成部材７０の内部における受皿６９側の空間域と芳香放出口１５側の空間域とがフィルタ機構８３によって遮断される。その結果、受皿６９の凹部６９ａから揮発した芳香剤が芳香放出口１５を通じて装置の外部に放出されることがなくなる。
【００６０】
また同時に、フィルタ部材７８のフィルタ部７９においては、湾曲面部８１が流路形成部材７０の側面に形成された貫通孔７３と対応する位置に配置される。そのため、流路形成部材７０の内部における受皿６９側の空間域は、フィルタ部７９の湾曲面部８１によって送風パイプ５９の吹き出し口５９ａに対して遮断された状態となる。
【００６１】
すると、送風ファン３４から空気管路４６及び送風パイプ５９を通じて芳香発生装置６１側に空気が流入したとしても、送風パイプ５９の吹き出し口５９ａから流路形成部材７０の内部への空気の流入はフィルタ部材７８のフィルタ部７９によって遮られる。そのため、送風パイプ５９の吹き出し口５９ａから受皿６９の凹部６９ａの開口に対して空気が送風されることはないため、受皿６９の凹部６９ａ内に貯留された芳香剤の揮発が促進されることはない。
【００６２】
また、送風パイプ５９の吹き出し口５９ａから流路形成部材７０の内部における受皿６９側の空間域に対して空気が導入されることはないため、当該受皿６９側の空間域における内圧が高まることが回避される。そのため、流路形成部材７０の内部においては、受皿６９側の空間域に充満した芳香剤が芳香放出口１５側の空間域に対して流出し、更には、当該芳香放出口１５側の空間域から芳香放出口１５を通じて装置の外部に漏洩することが抑制される。
【００６３】
次に、上記のように構成された美容器１０の作用について、特に、送風ファン３４から送風される空気を大径ミスト放出口１３、小径ミスト放出口１４、及び芳香放出口１５に対して分散して供給する際の作用に着目して以下説明する。
【００６４】
さて、本実施形態の美容器１０では、沸騰室２７にて加熱された大径ミストが大径ミスト放出口１３に対して導出される。この場合、大径ミスト放出口１３に導出される高温の大径ミストは、十分に冷却された上で大径ミスト放出口１３を通じて装置の外部に放出されることが望ましい。そのため、送風ファン３４は、主空気流路４１を通じて大径ミスト放出口１３に対して大きな風量の空気を供給する必要がある。
【００６５】
また、放電電極４９から対向電極５１への放電の際には、放電電極４９と対向電極５１との間の空間域にオゾンが発生することがある。この場合、発生したオゾンは、十分に濃度を低減させた上で小径ミスト放出口１４を通じて装置の外部に放出されることが望ましい。そのため、送風ファン３４は、第１の副空気流路４３を通じて小径ミスト放出口１４に対して、オゾン濃度を希釈させるのに十分な風量の空気を供給する必要がある。なお、送風ファン３４が小径ミスト放出口１４に対して供給すべき空気の風量は、送風ファン３４が大径ミスト放出口１３に対して供給すべき空気の風量よりも少量となっている。
【００６６】
一方、芳香放出口１５から放出される芳香は、小径ミスト放出口１４から放出される小径ミストの流れに乗って使用者の位置まで到達する。すなわち、送風ファン３４は、小径ミスト放出口１４を通じて小径ミストを放出させる場合とは異なり、芳香が芳香放出口１５を通じて使用者に到達する程の大きな風量の空気を第２の副空気流路４５を通じて芳香放出口１５に対して供給する必要がない。そのため、送風ファン３４が芳香放出口１５に対して供給すべき空気の風量は、送風ファン３４が小径ミスト放出口１４に対して供給すべき空気の風量よりも少量となっている。
【００６７】
また、送風ファン３４から送出された空気を大径ミスト放出口１３に供給する主空気流路４１は、送風ファン３４から送出された空気を小径ミスト放出口１４に供給する第１の副空気流路４３よりも流路長が長くなるように構成されている。そのため、送風ファン３４から送出される空気が主空気流路４１を流動する際に受ける圧力損失は、送風ファン３４から送出される空気が第１の副空気流路４３を流動する際に受ける圧力損失よりも大きくなる。したがって、送風ファン３４が主空気流路４１に対して導入すべき空気の風量は、送風ファン３４が第１の副空気流路４３に対して導入すべき空気の風量よりも大きくなる。
【００６８】
また同様に、送風ファン３４から送出された空気を小径ミスト放出口１４に供給する第１の副空気流路４３は、送風ファン３４から送出された空気を芳香放出口１５に供給する第２の副空気流路４５よりも流路長が長くなるように構成されている。そのため、送風ファン３４が第１の副空気流路４３に対して導入すべき空気の風量は、送風ファン３４が第２の副空気流路４５に対して導入すべき空気の風量よりも大きくなる。
【００６９】
この点、本実施形態では、送風ファン３４は、相対的に大きな開口面積を有する主空気流路４１の給気口４１ａに対して、相対的に小さな開口面積を有する第１の副空気流路４３の給気口４３ａよりも大きな風量の空気を導入する。また同様に、送風ファン３４は、相対的に大きな開口面積を有する第１の副空気流路４３の給気口４３ａに対して、相対的に小さな開口面積を有する第２の副空気流路４５の給気口４５ａよりも大きな風量の空気を導入する。
【００７０】
なお、各空気流路４１，４３，４５に空気を導入する遠心式の送風ファン３４は、当該送風ファン３４の回転軸から離間するに連れて送出口３８から送出される空気の流速が次第に増大する構成となっている。そして、本実施形態では、第１の副空気流路４３の給気口４３ａは、送風ファン３４の空気の送出口３８において回転軸に対して離間した左端寄りの部位、すなわち、相対的に高い流速の空気が送出される部位に対して上下方向に対向する位置に配置されている。一方、第２の副空気流路４５の給気口４５ａは、送風ファン３４の空気の送出口３８において回転軸に対して近接した右端寄りの部位、すなわち、相対的に低い流速の空気が送出される部位に対して上下方向に対向する位置に配置されている。そのため、送風ファン３４から第１の副空気流路４３の給気口４３ａに導入される空気の風量は、送風ファン３４から第２の副空気流路４５の給気口４５ａに導入される空気の風量よりもなお一層大きくなっている。
【００７１】
ところで、本実施形態では、大径ミスト放出口１３は、小径ミスト放出口１４及び芳香放出口１５よりも開口面積が大きく構成されている。そのため、大径ミスト放出口１３から放出される高温のミストは大気によってむらなく冷却される。したがって、送風ファン３４から送風される空気に対して混合した大径ミストが、流路長の短いミストガイド１２ｃを通じて大径ミスト放出口１３から放出された場合であっても、こうした大径ミストは大気によって十分に冷却される。
【００７２】
また、小径ミスト放出口１４は、芳香放出口１５よりも開口面積が大きく構成されている。そのため、送風ファン３４から第１の副空気流路４３を通じて供給された空気が小径ミスト放出口１４を通過する際に受ける圧力損失は、送風ファン３４から第２の副空気流路４５を通じて供給された空気が芳香放出口１５を通過する際に受ける圧力損失よりも大きくなる。その結果、送風ファン３４から第１の副空気流路４３に導入される空気は小径ミスト放出口１４を通じて速やかに放出されるため、第１の副空気流路４３を流動する空気の風量が確保される。したがって、静電霧化機構４８が第１の副空気流路４３の途中位置に発生させるオゾンは、第１の副空気流路４３を流動する空気と混合されて十分に希釈された状態で小径ミスト放出口１４から放出される。
【００７３】
したがって、本実施形態によれば、以下に示す効果を得ることができる。
（１）送風ファン３４は、主空気流路４１、第１の副空気流路４３、及び第２の副空気流路４５を通じて大径ミスト放出口１３、小径ミスト放出口１４、及び芳香放出口１５に空気を送風する。すなわち、単一の送風ファン３４が大径ミスト放出口１３、小径ミスト放出口１４、及び芳香放出口１５に空気を送風する。そのため、複数の送風ファン３４を設ける場合と比較して、装置全体の小型化や軽量化を図ることができると共に、送風ファン３４の駆動に伴う騒音を低減できる。
【００７４】
（２）大径ミスト放出口１３は、小径ミスト放出口１４及び芳香放出口１５よりも上方に配置されている。そのため、大径ミスト放出口１３から放出される高温の大径ミストが、大気中を上方に上昇して小径ミストや芳香に対して混合されることが回避される。したがって、大径ミストが小径ミストに結合して小径ミストの大きさを増大させたり、或いは、大径ミストが芳香を吸着して芳香作用を低下させたりすることを抑制できる。
【００７５】
（３）小径ミスト放出口１４は、芳香放出口１５に対して上方で隣接する位置に配置されている。そのため、芳香放出口１５から放出される芳香は、小径ミスト放出口１４から放出される小径ミストの流れに乗って放出される。したがって、芳香放出口１５から大きな風量の空気を放出させない場合であっても、芳香を使用者に対して十分に行き届かせることができる。
【００７６】
（４）大径ミスト放出口１３は、小径ミスト放出口１４及び芳香放出口１５よりも開口面積が大きく構成されている。そのため、大径ミスト放出口１３から放出される高温の大径ミストは、大気によってむらなく高効率に冷却される。したがって、大径ミスト放出口１３から大径ミストを放出する際に、大径ミスト放出口１３から放出する空気の風量を低減することができる。また、送風ファン３４から送風される空気に対して混合した大径ミストを、大径ミスト放出口１３を通じて速やかに放出させた場合であっても、こうした大径ミストは大気によって十分に冷却される。したがって、送風ファン３４から送風される空気と大径ミストとが混合される部位から大径ミスト放出口１３に至る流路の長さを短縮できるため、装置全体の小型化に寄与することができる。
【００７７】
（５）小径ミスト放出口１４は、芳香放出口１５よりも開口面積が大きく構成されている。そのため、小径ミスト放出口１４から放出される空気の流量が十分に確保されるため、静電霧化の際に生じるオゾンの濃度を十分な流量の空気によって希釈させた状態で小径ミスト放出口１４から放出させることができる。
【００７８】
（６）第１の副空気流路４３の給気口４３ａが送風ファン３４の回転軸に対して相対的に遠い位置に設けられると共に、第２の副空気流路４５の給気口４５ａが送風ファン３４の回転軸に対して相対的に近い位置に設けられている。そのため、送風ファン３４から送出される空気が各空気流路４３，４５に分配して供給される際に、相対的に大きな風量を必要とする第１の副空気流路４３には流速の高い空気が導入される一方で、相対的に小さな風量を必要とする第２の副空気流路４５には流速の低い空気が導入される。すなわち、送風ファン３４から各空気流路４３，４５に流入する空気の風量は各々の空気流路４３，４５に適した風量となるように調整される。そのため、送風ファン３４が各空気流路４３，４５に対して過大な風量の空気を供給することが回避されるため、少ないファン回転数で送風ファン３４から各空気流路４３，４５に対して必要な風量を供給することができる。
【００７９】
（７）送風パイプ５９の吹き出し口５９ａは、受皿６９の凹部６９ａの開口に対して斜め上方から対向するように配置されている。そのため、送風パイプ５９の吹き出し口５９ａから供給される空気は、芳香剤の上面に滞留する飽和蒸気層に向けて送出される。そして、芳香剤の表面から飽和蒸気層が取り払われると、芳香剤の揮発が促進される。そのため、少ない風量で芳香剤を十分に揮発させて芳香放出口１５から放出させることができる。
【００８０】
（８）芳香発生装置６１は、受皿６９から芳香放出口１５に至る芳香の通過流路を形成する流路形成部材７０が受皿６９に対して着脱可能に設けられている。そのため、流路形成部材７０を受皿６９から取り外して容易に洗浄することができる。
【００８１】
（９）芳香発生装置６１のフィルタ部材７８は、送風ファン３４から第２の副空気流路４５を通じて流路形成部材７０の内部に流入する空気の流量を調整可能に構成されている。そのため、フィルタ部材７８が流路形成部材７０の内部への空気の流入を制限した場合、流路形成部材７０の内部における受皿６９側の空間域に生じる空気の流動が低減されることにより、受皿６９からの芳香剤の揮発が抑制される。したがって、流路形成部材７０の内部における受皿６９側の空間域に滞留する芳香剤の濃度が過大となることを回避できる。  （１０）芳香発生装置６１のフィルタ部材７８は、受皿６９よりも空気の流動方向の上流側に設けられている。そのため、フィルタ部材７８を受皿６９よりも空気の流動方向の下流側に設ける場合とは異なり、フィルタ部材７８が空気の流動を制限した場合に、流路形成部材７０の内部における受皿６９側の空間域に空気が渦を巻くように流動して芳香剤の揮発を促進させることはほとんどない。その結果、流路形成部材７０の内部から装置の外部に対して芳香が漏洩することを低減できる。したがって、流路形成部材７０の内部における受皿６９側の空間域での芳香剤の濃度の変動が抑制されるため、当該空間域における芳香剤の濃度調整を容易ならしめることができる。
【００８２】
（１１）主空気流路４１と第１の副空気流路４３とを仕切る仕切り壁４０は、送風ファン３４の空気の送出口３８に対して上下方向に対向する空間域のうち、相対的に流速の低い空気が流動する空間域に配置されている。そのため、相対的に流速の高い空気が流動する空間域に仕切り壁４０を設ける場合と比較して、仕切り壁４０によって空気の風切音が発生することを抑制できる。
【００８３】
（１２）芳香発生装置６１は、レバー部材８６のレバー部８８の回動操作に伴って、フィルタ機構８３が仕切り板７４の芳香通過口７５を閉塞させると同時に、フィルタ部材７８が流路形成部材７０の側面に形成された貫通孔７３を閉塞させる。そのため、仕切り板７４の芳香通過口７５が閉塞された状態で、送風パイプ５９の吹き出し口５９ａから流路形成部材７０の内部における受皿６９側の空間域に空気が流入されることが回避される。そのため、流路形成部材７０の内部における受皿６９側の空間域の内圧が高まることに伴って、当該空間域から装置の外部に芳香が漏洩することを抑制できる。
【００８４】
（１３）受皿６９の凹部６９ａは、開口縁の近傍部位の内面が滑らかに湾曲した形状をなしている。そのため、受皿６９に対して振動が伝播したとしても、受皿６９の凹部６９ａの開口から芳香剤が飛散することを抑制できる。
【００８５】
（１４）空気管路４６の排気部４６ａは、小径筒部５７及び大径筒部５８によって二重壁構造をなすように構成されている。そのため、美容器１０が転倒した場合であっても、受皿６９に貯留された芳香剤が送風パイプ５９及び空気管路４６を通じて送風ファン３４に至るまで逆流することを抑制できる。
【００８６】
なお、上記実施形態は、以下のような別の実施形態に変更してもよい。
・上記実施形態において、送風パイプ５９を流動する空気の流量を調整する流量調整弁を送風パイプ５９の途中位置に設ける構成としてもよい。この場合、流量調整弁は、送風パイプ５９から流路形成部材７０の内部に流入する空気の流量を調整する流量調整機構として機能する。
【００８７】
・上記実施形態において、流路形成部材７０は、受皿６９に対して一体的に成型される構成としてもよい。
・上記実施形態において、送風パイプ５９の吹き出し口５９ａは、受皿６９の凹部６９ａの開口と略同一の高さに位置してもよいし、受皿６９の凹部６９ａの開口よりも下方に位置してもよい。
【００８８】
・上記実施形態において、第１の副空気流路４３の給気口４３ａは、第２の副空気流路４５の給気口４５ａよりも送風ファン３４の回転軸に近接する位置に配置される構成としてもよい。
【００８９】
・上記実施形態において、大径ミスト放出口１３、小径ミスト放出口１４、及び芳香放出口１５の開口面積の大きさの順序は任意に設計してもよい。また、これらの放出口１３，１４，１５のうち、少なくとも一部の放出口の開口面積の大きさを統一するように設計してもよい。
【００９０】
・上記実施形態において、大径ミスト放出口１３、小径ミスト放出口１４、及び芳香放出口１５の高さの順序は任意に設計してもよい。また、これらの放出口１３，１４，１５のうち、少なくとも一部の放出口の高さを統一するように設計してもよい。例えば、小径ミスト放出口１４が芳香放出口１５に対して左右方向に隣接して配置される構成としてもよい。
【００９１】
・上記実施形態において、第１の副空気流路４３は、主空気流路４１から分岐させるように構成してもよい。また、第２の副空気流路４５は、主空気流路４１又は第１の副空気流路４３から分岐させる構成としてもよい。
【００９２】
・上記実施形態において、送風ファン３４は遠心ファンに限定されず、軸流ファンを用いてもよい。
・上記実施形態において、ヒータ２６により大径ミストを発生させる大径ミスト発生機構２９に代えて、超音波振動にて水をミスト化する装置や静電霧化装置を用いてミスト化する装置等を用い、温ミストを発生させるようにしてもよい。
【００９３】
・上記実施形態において、本発明を美容器１０に具体化したが、加湿器などに具体化してもよい。
【符号の説明】
【００９４】
１０…ミスト発生装置としての美容器、１３…大径ミスト放出口、１４…小径ミスト放出口、１５…芳香放出口、２９…大径ミスト発生部としての大径ミスト発生機構、３４…送風ファン（ファン）、４１…主気体流路としての主空気流路、４３…第１の副気体流路としての第１の副空気流路、４３…給気口（第１の給気口）、４５…第２の副気体流路としての第２の副空気流路、４５ａ…給気口（第２の給気口）、４８…小径ミスト発生部としての静電霧化機構、５９ａ…吹き出し口、６１…芳香発生部としての芳香発生装置、６９…芳香容器としての受皿、６９ａ…凹部、７８…流量調整機構としてのフィルタ部材。
【図１】
2011239823.tif 000003
【図２】
2011239823.tif 000004
【図３】
2011239823.tif 000005
【図４】
2011239823.tif 000006
【図５】
2011239823.tif 000007
【図６】
2011239823.tif 000008
【図７】
2011239823.tif 000009
【図８】
2011239823.tif 000010
【図９】
2011239823.tif 000011
【図１０】
2011239823.tif 000012
【図１１】
2011239823.tif 000013